(57)【要約】【課題】  キャビネットの引出しの鏡板前面の把手を無くした外観を備えると共に、引出しの操作性を向上することができるキャビネットを得る。【解決手段】  キャビネット本体２と、キャビネット本体２の案内手段により支持されて前後に引き出し及び収納可能な、複数段の引出し３，４，５とを備えたキャビネット１であって、引出し３，４，５の鏡板３ａ，４ａ，５ａを、平面視において前方に膨らむ滑らかな形状とし、引出しの収納位置において、最上段の引出し３の鏡板３ａ後面の上側縁とキャビネット本体２の前面との間に隙間Ｇ１を、引出し３，４，５の鏡板３ａ，４ａ，５ａ後面の左右側縁とキャビネット本体２の前面との間に隙間Ｇ２設けて把手とした。【選択図】        図１
2005143984.tif 000002
【特許請求の範囲】
【請求項１】
キャビネット本体と、このキャビネット本体の案内手段により支持されて前後に引き出し及び収納可能な、鏡板及び該鏡板に取着される裏カバーとを有する、複数段の引出しとを備えたキャビネットであって、
前記引出しの鏡板を、平面視において前方に膨らむ滑らかな形状とし、前記引出しの収納位置において、最上段の引出しの鏡板後面の上側縁と前記キャビネット本体の前面との間の全部又は一部、及び、全ての引出しの鏡板後面の左右側縁と前記キャビネット本体の前面との間の全部又は一部に隙間を設けて把手としてなるキャビネット。
【請求項２】
前記鏡板を薄板状とし、前記裏カバーの前面の形状を前記薄板状の鏡板の後面に沿う形状としてなる請求項１記載のキャビネット。
【請求項３】
前記裏カバーの前後方向の長さを、前記引出しの収納位置における前記鏡板後面と前記キャビネット本体前面との隙間の前後方向の長さよりも長く形成してなる請求項１又は２記載のキャビネット。
【請求項４】
前記裏カバーに、その上面から下方に窪んだ収納部を形成、又は、前記裏カバーの上面に明けた開口部を塞ぐと共に下方に窪んだ形状の収納部材を取着してなる請求項１〜３のいずれかに記載のキャビネット。
【請求項５】
前記鏡板をダイカスト又は射出成形により薄板状に製作すると共に、該鏡板の後面に雌ねじ部を形成し、前記裏カバーの前面の形状を前記薄板状の鏡板の後面に沿う形状に板金により製作し、前記裏カバーを前記鏡板に後方から取着してなる請求項１〜４のいずれかに記載のキャビネット。
【発明の詳細な説明】
【技術分野】
【０００１】
本発明は、キャビネット本体と、鏡板と裏カバーとからなる二重構造の表面飾り板を有する引出しとを備えたキャビネットの改良に関するものである。
【背景技術】
【０００２】
従来のキャビネットの構造として、キャビネット本体と、鏡板と裏カバーとからなる二重構造の表面飾り板を有する引出しとを備えたものが一般的である。また、前記引き出しの鏡板前面が平面であり、この鏡板前面に把手が取着されているものが一般的である。
【０００３】
これに対して、従来のキャビネット等に用いられる前面板と裏カバーとからなる二重構造の表面飾り板を有する引出しの構造として、外観上整然とした美観を呈するようにする目的で、前記鏡板後面の左右側縁部に樹脂製等の把手部材を設け、前記鏡板前面の把手を無くすことにより、数段に並列した複数個の前記鏡板の表面を完全に平坦面に並列するように構成したもの（例えば、特許文献１参照。）等がある。
【０００４】
【特許文献１】実開平１−５９４３６号公報（第１―２図）
【発明の開示】
【発明が解決しようとする課題】
【０００５】
キャビネットの引出しを引き出す操作を行う場合において、前記キャビネットの右側にいる場合は左手を用い、前記キャビネットの左側にいる場合は右手を用いて、手のひらを上向き又は下向きとして操作するのが人間工学的に望ましいものである。また、キャビネットの引出しの中で最上段の引出しは、ペントレイ等を備えることが多く、特に使用頻度が高いものである。この最上段の引出しの鏡板前面に把手がある場合は、前記の手のひらを上向き又は下向きとした操作が可能である。また、キャビネットの前側にいる場合も、同様に前記鏡板前面の把手を用いてキャビネットの引出しを引き出す操作を行うことができる。
【０００６】
しかし、特許文献１のような引出しをキャビネットに用いた場合は、鏡板前面の把手を無くしているため外観上は好ましいといえるが、前記鏡板後面の左右側縁部にのみ把手部材を設ける構成のため、前記の手のひらを上向き又は下向きとした人間工学的に望ましい操作をすることができない。したがって、特に使用頻度が高い最上段の引出しが引き出しにくくなるという問題点があった。また、特許文献１のような構成では、板金により形成される鏡板及び裏カバーの切り放し面を覆うように樹脂製等の把手部材を設ける必要があり、部品点数が増加するためコストが上昇するという問題点があった。あるいは、同様の構成において樹脂製等の把手部材を設けない場合は、鏡板の左右の端縁全体に面取り等の加工を行う必要があるためコストが上昇するという問題点があった。
【０００７】
本発明は、前記のような問題点を解決するためになされたものであり、キャビネットの引出しの鏡板前面の把手を無くした外観を備えると共に、使用頻度が高い最上段の引出しの操作性を向上することができるキャビネットを得ることを目的とする。また、使用者の位置にかかわらず、前記最上段の引出しの操作性をより向上することができるキャビネットを得ることを目的とする。さらに、樹脂製等の把手部材を設ける必要がなく、コストの上昇を抑えることができる実用的なキャビネットを得ることを目的とする。
【課題を解決するための手段】
【０００８】
本発明に係るキャビネットは、前記課題解決のために、キャビネット本体と、このキャビネット本体の案内手段により支持されて前後に引き出し及び収納可能な、鏡板及び該鏡板に取着される裏カバーとを有する、複数段の引出しとを備えたキャビネットであって、前記引出しの鏡板を、平面視において前方に膨らむ滑らかな形状とし、前記引出しの収納位置において、最上段の引出しの鏡板後面の上側縁と前記キャビネット本体の前面との間の全部又は一部、及び、全ての引出しの鏡板後面の左右側縁と前記キャビネット本体の前面との間の全部又は一部に隙間を設けて把手としてなるものである。
【０００９】
ここで、前記鏡板を薄板状とし、前記裏カバーの前面の形状を前記薄板状の鏡板の後面に沿う形状としてなると好ましい。
【００１０】
また、前記裏カバーの前後方向の長さを、前記引出しの収納位置における前記鏡板後面と前記キャビネット本体前面との隙間の前後方向の長さよりも長く形成してなると好ましい。
【００１１】
さらに、前記裏カバーに、その上面から下方に窪んだ収納部を形成、又は、前記裏カバーの上面に明けた開口部を塞ぐと共に下方に窪んだ形状の収納部材を取着してなると好ましい。
【００１２】
さらにまた、前記鏡板をダイカスト又は射出成形により薄板状に製作すると共に、該鏡板の後面に雌ねじ部を形成し、前記裏カバーの前面の形状を前記薄板状の鏡板の後面に沿う形状に板金により製作し、前記裏カバーを前記鏡板に後方から取着してなると好ましい。
【発明の効果】
【００１３】
本発明に係るキャビネットによれば、キャビネット本体と、このキャビネット本体の案内手段により支持されて前後に引き出し及び収納可能な、鏡板及び該鏡板に取着される裏カバーとを有する、複数段の引出しとを備えたキャビネットであって、前記引出しの鏡板を、平面視において前方に膨らむ滑らかな形状とし、前記引出しの収納位置において、最上段の引出しの鏡板後面の上側縁と前記キャビネット本体の前面との間の全部又は一部、及び、全ての引出しの鏡板後面の左右側縁と前記キャビネット本体の前面との間の全部又は一部に隙間を設けて把手としてなるので、キャビネットの引出しの鏡板前面の把手を無くした外観上整然とした美観を呈すると共に、前記隙間を把手として引出しを容易に引き出すことができる。また、使用頻度が高い最上段の引出しの操作性を向上することができる。さらに、使用者の位置にかかわらず、前記最上段の引出しの操作性をより向上することができる。
【００１４】
また、前記鏡板を薄板状とし、前記裏カバーの前面の形状を前記薄板状の鏡板の後面に沿う形状としてなるので、前記鏡板及び裏カバーを強固に安定して固定できる。また、前記鏡板の後部のスペースを有効に利用することができる。
【００１５】
さらに、前記裏カバーの前後方向の長さを、前記引出しの収納位置における前記鏡板後面と前記キャビネット本体前面との隙間の前後方向の長さよりも長く形成してなるので、前記隙間が統一した外観の印象を与えることができる。また、特に最上段の引出しにおいて指詰め及び埃の侵入を抑制することができる。
【００１６】
さらにまた、前記裏カバーに、その上面から下方に窪んだ収納部を形成、又は、前記裏カバーの上面に明けた開口部を塞ぐと共に下方に窪んだ形状の収納部材を取着してなるので、前記鏡板の平面視において前方に膨らむ形状を活用して、引出し内のスペースを有効に利用することができる。
【００１７】
また、前記鏡板をダイカスト又は射出成形により薄板状に製作すると共に、該鏡板の後面に雌ねじ部を形成し、前記裏カバーの前面の形状を前記薄板状の鏡板の後面に沿う形状に板金により製作し、前記裏カバーを前記鏡板に後方から取着してなるので、前記鏡板及び裏カバーを強固に安定して固定できると共に部品点数を削減することができる。また、前記鏡板の後面の上側縁又は左右側縁をそのまま把手として利用することができる。したがって、樹脂製等の把手部材を設ける必要がなく、コストの上昇を抑えることができる実用的なキャビネットを得ることができる。
【発明を実施するための最良の形態】
【００１８】
次に本発明の実施の形態を添付図面に基づき詳細に説明する。図１は、本発明の実施の形態に係るキャビネットを示す斜視図である。また、図２は、本発明の実施の形態に係るキャビネットを示す側面図である。さらに、図３は、本発明の実施の形態に係るキャビネットの最上段の引出しである上段引出しを引き出した状態を示す斜視図である。キャビネット１は、キャビネット本体２と、キャビネット本体２に取着されたサスペンションレール又は通常のレールとローラ及びスライダー等の組合せからなる案内手段２ａ，２ｂ，２ｃにより支持されて前後に引き出し及び収納可能な、上段引出し３、中段引出し４及び下段引出し５から構成されており、キャビネット１の各引出しの鏡板前面は把手を無くした外観を備えている。なお、本発明のキャビネットの引出しは、上段引出し３、中段引出し４及び下段引出し５からなる構成に限定されるものではなく、２段又は４段以上のもの等、複数段の引出しがあるものであればよい。
【００１９】
キャビネット本体２の下面にはキャスター６，６・・・が取着されており、キャビネット１の移動が容易となっている。また、下段引出し５の鏡板５ａの下面中央には、下段引出し５を引き出した際に床面に接地してキャビネット１の前倒れを防止する転倒防止用ローラ７が取着されており、重量が大きな下段引出し５の引き出し及び収納動作をローラにてスムーズに行うことができる。
【００２０】
図３において、最上段の引出しである上段引出し３は、その前面に、鏡板３ａ及び該鏡板３ａに取着される裏カバー３ｂとからなる二重構造の表面飾り板を有している。また、中段引出し４及び下段引出し５も、鏡板４ａ及び裏カバー４ｂ並びに鏡板５ａ及び裏カバー５ｂを有する同様の構造となっている。
【００２１】
上段引出し３、中段引出し４及び下段引出し５の表面飾り板を構成する鏡板３ａ，４ａ，５ａは、平面視において前方に膨らむ円弧形状をしている。また、上段引出し３、中段引出し４及び下段引出し５の収納位置（図１参照。）において、上段引出し３の鏡板３ａ後面の上側縁とキャビネット本体２の前面との間には隙間Ｇ１が設けられている。また、上段引出し３、中段引出し４及び下段引出し５の鏡板３ａ，４ａ，５ａ後面の左右側縁とキャビネット本体２の前面との間には隙間Ｇ２，Ｇ２が設けられている。したがって、これらの隙間に指を掛け、鏡板３ａ，４ａ，５ａの上側縁及び左右側縁を把手として、上段引出し３、中段引出し４及び下段引出し５を容易に引き出すことができる。
【００２２】
なお、上段引出し３、中段引出し４及び下段引出し５を前記収納位置で停止させて、前記隙間Ｇ１及びＧ２を形成するのは、案内手段２ａ，２ｂ，２ｃに樹脂又はゴム等の緩衝材からなるストッパを設けることにより実現することができる。このような構成により、前記各引出しの収納時において、キャビネット本体２の前面と各引出の鏡板の後面とは当接しないため、衝突音もなくスムーズな引出しの引き出し及び収納動作が可能である。また、各引出しの収納位置における前記隙間Ｇ１，Ｇ２の存在により、各引出しの収納時における指詰めを防止することができる。
【００２３】
特に、上段引出し３の鏡板３ａの形状が平面視において前方に膨らむ円弧形状をしていると共に、前記隙間Ｇ１が設けられているため、キャビネット１に対する使用者の位置、すなわち左側、右側、正面等の位置に対して、前記隙間Ｇ１は前記使用者が指を掛けやすい方向を向いていることになる。したがって、最上段の引出しである上段引出し３の操作性をより向上することができる。
【００２４】
裏カバー３ｂ，４ｂ及び５ｂの前後方向の長さは、上段引出し３、中段引出し４及び下段引出し５の収納位置（図１参照。）における前記隙間Ｇ１，Ｇ２の前後方向の長さよりも長く形成している（図２参照。）。また、図２において、上段引出し３の裏カバー３ｂと中段引出し４の裏カバー４ｂとの間の上下方向の隙間Ｇ３、及び、中段引出し４の裏カバー４ｂと下段引出し５の裏カバー５ｂとの間の上下方向の隙間Ｇ４が小さくなるように、各裏カバーが形成されている。したがって、前記収納位置において側面又は上面からキャビネット１を見た場合に、前記隙間Ｇ１，Ｇ２は目地のように見えるため統一した外観の印象を与えることができる。また、上段引出し３を引き出した位置（図３参照。）から収納位置（図１参照。）まで収納する場合において、鏡板３ａを挟持して鏡板３ａの後部に指があったとしても、裏カバー３ｂの上面により前記指の引出し内への進入が規制されるため前記指を引出し３とキャビネット本体２との間で挟むことがない。さらに、前記裏カバー３ｂ，４ｂ及び５ｂの前後方向の長さの設定により、特に上段引出し３において、引出し内への埃の侵入を抑制することができる。さらにまた、前記の上段引出し３、中段引出し４及び下段引出し５の鏡板３ａ，４ａ，５ａが平面視において前方に膨らむ円弧形状をしているため、前記隙間Ｇ１，Ｇ２から各鏡板の裏側が見えにくくなっており、美観を損なうことがない。
【００２５】
図４は、本発明の実施の形態に係るキャビネットの中段引出しを引き出した状態を示す引出しの構成説明図である。また、図５及び図６は、鏡板への裏カバーの取り付け方法の説明用斜視図及び断面図である。以下において中段引出し４について説明するが、上段引出し３及び下段引出し５も中段引出し４と同様の構成である。中段引出し４の表面飾り板を構成する鏡板４ａは、平面視において前方に膨らむ円弧形状をなす薄板状に、アルミニウム、マグネシウム若しくは亜鉛等の好ましくは軽合金のダイカスト又はポリアセタール、ポリプロピレン、ポリエチレンテレフタレート若しくはＡＢＳ等の熱可塑性樹脂の射出成形により製作され、鏡板４ａの後面には雌ねじ部８，８・・・が形成されている。また、引出し４の表面飾り板を構成する裏カバー４ｂは、板金により形成され、鏡板４ａの後面の平面視において前方に膨らむ形状に沿って当接する前面９と左右方向に延びた鉛直面である後面１０を有しており、鏡板４ａの雌ねじ部８，８を利用して裏カバー４ｂの後方からボルト１１，１１により鏡板４ａに取着される。さらに、裏カバー４ｂは鏡板４ａ後面のぬすみ部１２に嵌挿されるため、板金の切り放し面が見えないと共に鏡板４ａ及び裏カバー４ｂとの位置決めを容易に行うことができる。
【００２６】
裏カバー４ｂの左右の上部位置又は適宜位置には、単若しくは複数箇所又は上下に連続して、ポリアセタール又はポリプロピレン等の樹脂製の振れ止め１３，１３が取着されており、中段引出し４収納時においてキャビネット本体２の内面と当接して中段引出し４の左右方向の移動が規制されるため、キャビネット本体２に対する中段引出し４の振れを抑制することができる。図５に示すように、振れ止め１３は、裏カバー４ｂの係合孔１４，１４に抜け止め１３ａ，１３ａを上方から下方に移動させて係合させることにより裏カバー４ｂに取着され、抜け止め１３ａ，１３ａにより振れ止め１３の横方向への抜けが防止される。また、ストッパー１３ｂ，１３ｂは上面が略水平で下面がテーパ状の突起であり、前記抜け止め１３ａ，１３ａの係合孔１４，１４への係合後における振れ止め１３の上方への抜けが防止される。特に裏カバー４ｂの上端面と面一になるように振れ止め１３，１３を取り付けると、裏カバー４ｂの板金の角に指や手が当たらなくなるため、また、外観上からも、より好ましいといえる。
【００２７】
以上のとおり、鏡板４ａの後面と裏カバー４ｂの前面とは前記円弧形状に沿わせて面同士が当接するものであり、両者は鏡板４ａ後面の雌ねじ部８，８を利用して螺合により固定される。また、鏡板４ａの後面と裏カバー４ｂの前面とはぬすみ部１２により位置決めがなされる。したがって、鏡板４ａ及び裏カバー４ｂは強固に安定して固定されると共に部品点数を削減することができる。さらに、鏡板４ａ及び裏カバー４ｂを締結するボルト１１，１１が見えにくいため外観上も好ましい構造となっている。さらにまた、鏡板４ａ（鏡板３ａ及び５ａも同様。）は前記の通りダイカスト又は射出成形により製作されているため、鏡板３ａないし５ａには板金のような切り放し面がないため、前記鏡板の後面の上側縁又は左右側縁を、面取り等の加工をせずに、そのまま把手として利用することができる。
【００２８】
また、鏡板３ａないし５ａの曲面部分である平面視において前方に膨らむ円弧形状は同一形状である。また、裏カバー３ｂないし５ｂの曲面部分である平面視において前方に膨らむ円弧形状も同一形状である。したがって、前記鏡板及び裏カバーの加工時において、上下の複数の引出しで金型等の共通化を図ることができる。
【００２９】
なお、鏡板３ａないし５ａの平面視において前方に膨らむ形状は、前記の円弧形状に限定されるものではなく、曲率半径の異なる複数の円弧を共通接線を持つように連続して組み合わせてなる滑らかな曲線形状等としてもよい。すなわち、平面視において前方に膨らむ滑らかな形状であればよい。
【００３０】
図７は、本発明の実施の形態に係るキャビネットの最上段の引出しである上段引出しの裏カバーに収納部を設けた例を示す斜視図である。鏡板３ａは平面視において前方に膨らむ円弧形状をなす薄板状に形成されているが、鏡板３ａに取着される裏カバー３ｂに、その上面から下方に窪んだ収納部１５を形成することにより、前記平面視において前方に膨らむ形状をなす引出し３内のスペースを有効に利用することができる。なお、同様に、中段引出し４及び下段引出し５においても、裏カバーに収納部を形成することにより、引出し内のスペースを有効に利用することができる。また、このような収納スペースは、裏カバー自体に形成せずに、裏カバー上面には開口部を形成し、この開口部を塞ぐと共に下方に窪んだ形状の別部品である収納部材を設けることもできる。
【００３１】
図７においては、キャビネット本体２上面前側の中央部を前方へ突出させている場合を示している（図中矢印Ａ参照。）。このように、上段引出し３の鏡板３ａ後面の上側縁とキャビネット本体２の前面との間の隙間Ｇ１は、必ずしも上段引出し３の鏡板３ａ後面の上側縁全体にわたって設ける必要はなく、上段引出し３の鏡板３ａ後面の上側縁の一部にのみ設けることもできる。同様に、上段引出し３、中段引出し４及び下段引出し５の鏡板３ａ，４ａ，５ａ後面の左右側縁とキャビネット本体２の前面との間の隙間Ｇ２も、必ずしも鏡板３ａ，４ａ，５ａ後面の左右側縁全体にわたって設ける必要はなく、一部にのみ設けることもできる。
【００３２】
図８〜図１０は、引出しのロック装置の説明図であり、図８は正面図、図９は平面図、図１０はロック装置の要部を示す斜視図である。上段引出し３、中段引出し４及び下段引出し５の収納位置（図１参照。）において、通常位置（ロック解除位置）では、取り付け部材１８により支持されたクランク体２０は、ねじりコイルばね１９によりその作動アーム２０ｂを上方に移動させるように弾性付勢されており、作動アーム２０ｂが係合する規制片２３ａ，２３ｂを介して前記弾性付勢力によりロック杆２２全体が上部位置にあるため、ストッパー片２４・・・が係合部２５・・・から外れている。この状態で、上段引出し３内に配設された錠前１６に図示しない鍵を挿入して回動させると、錠前１６の偏心ピン１６ａが回動し、偏心ピン１６ａを長孔１７ａに挿入してなる錠前掛金１７が上方に移動する（図８の矢印Ｂ参照。）。したがって、錠前掛金１７の上面によりクランク体２０の当接アーム２０ａが上方に移動させられるため、クランク体２０は回動中心軸２１まわりに回動し（図８の矢印Ｃ参照。）、クランク体２０の作動アーム２０ｂが係合する規制片２３ａ，２３ｂを介してロック杆２２全体が下部位置に移動する（図８の矢印Ｄ参照。）。このロック杆２２の下部位置への移動により、ロック杆２２のストッパー片２４・・・が各引出しの係合部２５・・・（図１０参照。また、上段引出し３の係合部２５は図３及び図７参照。）に係合する。このようにして、上段引出し３、中段引出し４及び下段引出し５を一括してロックすることができる。
【図面の簡単な説明】
【００３３】
【図１】本発明の実施の形態に係るキャビネットを示す斜視図である。
【図２】本発明の実施の形態に係るキャビネットを示す側面図である。
【図３】上段引出しを引き出した状態を示す斜視図である。
【図４】中段引出しを引き出した状態を示す引出しの構成説明図である。
【図５】鏡板への裏カバーの取り付け方法の説明用斜視図である
【図６】鏡板への裏カバーの取り付け方法の説明用断面図である
【図７】上段引出しの裏カバーに収納部を設けた例を示す斜視図である。
【図８】引出しのロック装置の説明図である。
【図９】引出しのロック装置の説明図である。
【図１０】引出しのロック装置の説明図である。
【符号の説明】
【００３４】
１  キャビネット
２  キャビネット本体
２ａ，２ｂ，２ｃ  案内手段
３  上段引出し
４  中段引出し
５  下段引出し
３ａ，４ａ，５ａ  鏡板
３ｂ，４ｂ，５ｂ  裏カバー
８  雌ねじ部
９  裏カバーの前面
１１  ボルト
１５  収納部
Ｇ１  上段引出し鏡板後面の上側縁とキャビネット本体の前面との間の隙間
Ｇ２  各引出しの鏡板後面の左右側縁とキャビネット本体の前面との間の隙間
【図１】
2005143984.tif 000003
【図２】
2005143984.tif 000004
【図３】
2005143984.tif 000005
【図４】
2005143984.tif 000006
【図５】
2005143984.tif 000007
【図６】
2005143984.tif 000008
【図７】
2005143984.tif 000009
【図８】
2005143984.tif 000010
【図９】
2005143984.tif 000011
【図１０】
2005143984.tif 000012